(57)【要約】【課題】開封時における内容物の損傷を防ぎ、荷崩れが起こり難くする包装容器を提供する。【解決手段】ダンボール箱は、４つの側部１，２，３，４の上縁５１，５２，５３，５４に連なる上部フラップ５を備えている。上部フラップ５は、側部１に連なる下側フラップ７と、側部２に連なる上側フラップ８と、側部３に連なる下側フラップ９と、側部４に連なる上側フラップ１０とで構成されている。上側フラップ１０は、フラップ本体１１と、このフラップ本体１１の先端縁に設けられた突起部１２とから成っている。フラップ本体１１は、突起部１２の両側に連なる切れ込み２１，２２を先端縁に有している。突起部１２は、下側フラップ７の先端縁と下側フラップ９の先端縁との間の空間に挿入できるように、位置および形状が設定されている。また、突起部１２は、上側フラップ８の下方に挿入される。【選択図】図２
2010052750.tif 000002
【特許請求の範囲】
【請求項１】
互いに連なる４つの側部(１，２，３，４)と、この４つの側部(１，２，３，４)のそれぞれの上縁に連なる上部フラップ(５)と、上記４つの側部(１，２，３，４)のそれぞれの下縁に連なる下部フラップ(６)とを備えた包装容器であって、
上記４つの側部(１，２，３，４)の上縁は、
第１の上縁(５１)と、
上記第１の上縁(５１)に連なる第２の上縁(５２)と、
上記第２の上縁(５２)に連って上記第１の上縁(５１)に対向する第３の上縁(５３)と、
上記第３の上縁(５３)に連って上記第２の上縁(５２)に対向する第４の上縁(５４)と
からなり、
上記上部フラップ(５)は、
上記第１の上縁(５１)および第３の上縁(５３)に連なる１組の下側フラップ(７，９)と、
上記１組の下側フラップ(７，９)の上に重ねられ、上記第２の上縁(５２)および第４の上縁(５４)に連なる１組の上側フラップ(８，１０，２１０，３１０)と
を含み、
上記１組の上側フラップ(８，１０，２１０，３１０)の一方(１０，２１０，３１０)の先端縁には、上記１組の上側フラップ(８，１０，２１０，３１０)の他方(８)の下方に挿入され、上記下側フラップ(７，９)の先端縁同士の間の空間に挿入可能な形状を有する突起部(１２，３１２)が設けられ、
上記１組の上側フラップ(８，１０，２１０，３１０)の一方(１０，２１０，３１０)の先端縁には、上記突起部(１２，３１２)の両側に連なる切れ込み(２０，２１)が設けられていることを特徴とする包装容器。
【請求項２】
請求項１に記載の包装容器において、
上記１組の上側フラップ(８，２１０)の一方(２１０)には、上記切れ込み(２０，２１)の上記側部(４)側の端同士をつなぐようにミシン目(２２４)または折り目が設けられていることを特徴とする包装容器。
【請求項３】
請求項１または２に記載の包装容器において、
上記突起部(３１２)の厚みは、上記１組の上側フラップ(８，３１０)の一方(３１０)において上記突起部(３１２)以外の部分の厚みよりも薄くなっていることを特徴とする包装容器。
【発明の詳細な説明】
【技術分野】
【０００１】
本発明は、例えばダンボール箱などの包装容器に関する。
【背景技術】
【０００２】
従来、包装容器としては、特開２００３−８１２４９号公報（特許文献１）に記載の紙製外装ケースが知られている。
【０００３】
この紙製外装ケースは、図７に示すように、上部の開口を塞ぐ蓋となる上面用フラップ１０１，１０２，１０３，１０４を備えている。
【０００４】
上記上面用フラップ１０１は、上面用フラップ１０３に対向し、上面用フラップ１０３と同一の長方形板状になっている。
【０００５】
上記上面用フラップ１０２，１０４は、上面用フラップ１０１と上面用フラップ１０３との間に設けられている。
【０００６】
上記上面用フラップ１０２は長方形板状を呈し、縦の長さが上面用フラップ１０１，１０３と同じで、横の長さが上面用フラップ１０１，１０３よりも長くなっている。
【０００７】
上記上面用フラップ１０４は、他の上面用フラップ１０１，１０２，１０３とは異なる形状を有している。
【０００８】
より詳しくは、上記上面用フラップ１０４の先端縁の中央部には、凸形状の突起部１０５が設けられている。
【０００９】
このような紙製外装ケースで商品を包装する場合、まず、紙製外装ケース内に商品を入れた後、上面用フラップ１０１，１０３を図中の二点鎖線に沿って内側に折り曲げる。
【００１０】
そして、上記上面用フラップ１０２，１０４を図中の二点鎖線に沿って内側に折り曲げ、上面用フラップ１０１，１０３上に重ねる。このとき、図８に示すように、突起部１０５を上面用フラップ１０２の下方に挿入する。
【００１１】
最後に、上記上面用フラップ１０２，１０４を接合テープ１０６で接合して、紙製外装ケースの上部を封緘すると、商品の包装が完成する。
【００１２】
一方、上記紙製外装ケースを開封する場合、開封者は、通常、上面用フラップ１０２の先端縁に沿って刃物を走らせ、接合テープ１０６を切断する。
【００１３】
ところで、上記従来の紙製外装ケースでは、突起部１０５は、図９中の二点鎖線に沿って商品側に折り曲げられて、図１０に示すように、上面用フラップ１０２の下方に位置する。このため、上記従来の紙製外装ケースは、上部の封緘後、上面に段差ができ、上面の一部が盛り上がってしまう。
【００１４】
その結果、上記従来の紙製外装ケース上に他の荷を積み重ねると、その荷は崩れ落ちやすくなってしまう。
【００１５】
このように、上記従来の紙製外装ケースは、上面の一部が盛り上がるため、荷崩れを起こし易いという問題がある。
【特許文献１】特開２００３−８１２４９号公報
【発明の開示】
【発明が解決しようとする課題】
【００１６】
そこで、本発明の課題は、開封時における内容物の損傷を防ぎ、荷崩れが起こり難くする包装容器を提供することにある。
【課題を解決するための手段】
【００１７】
上記課題を解決するため、本発明の包装容器は、
互いに連なる４つの側部と、この４つの側部のそれぞれの上縁に連なる上部フラップと、上記４つの側部のそれぞれの下縁に連なる下部フラップとを備えた包装容器であって、
上記４つの側部の上縁は、
第１の上縁と、
上記第１の上縁に連なる第２の上縁と、
上記第２の上縁に連って上記第１の上縁に対向する第３の上縁と、
上記第３の上縁に連って上記第２の上縁に対向する第４の上縁と
からなり、
上記上部フラップは、
上記第１の上縁および第３の上縁に連なる１組の下側フラップと、
上記１組の下側フラップの上に重ねられ、上記第２の上縁および第４の上縁に連なる１組の上側フラップと
を含み、
上記１組の上側フラップの一方の先端縁には、上記１組の上側フラップの他方の下方に挿入され、上記下側フラップの先端縁同士の間の空間に挿入可能な形状を有する突起部が設けられ、
上記１組の上側フラップの一方の先端縁には、上記突起部の両側に連なる切れ込みが設けられていることを特徴としている。
【００１８】
上記構成の包装容器の上部を封緘する場合、上記１組の下側フラップを内側に折り曲げた後、１組の上側フラップを内側に折り曲げて１組の下側フラップの上に重ねる。このとき、上記１組の上側フラップの一方の先端縁に設けられた突起部を、下側フラップの先端縁同士の間の空間に挿入し、１組の上側フラップの他方の下方に位置させる。
【００１９】
このように、上記突起部を下側フラップの先端縁同士の間の空間に挿入することによって、例えば刃物で開封が行われても、刃物が下側フラップの先端縁同士の間の空間を介して内容物に接触しないようにすることができる。したがって、上記刃物などによる開封に伴って内容物が損傷するのを防ぐことができる。
【００２０】
また、上記突起部は１組の上側フラップの他方の下方に位置するが、切れ込みが突起部の両側に連なっているので、突起部を内部側に押し込み、１組の上側フラップの外側の表面同士を面一にできる。すなわち、上記包装容器の封緘後の上面の一部が盛り上がらないようにすることができる。したがって、上記包装容器の封緘後の上面に積み重ねた他の荷の崩れを防ぐことができる。
【００２１】
一実施形態の包装容器では、
上記１組の上側フラップの一方には、上記切れ込みの上記側部側の端同士をつなぐようにミシン目または折り目が設けられている。
【００２２】
上記実施形態の包装容器によれば、上記１組の上側フラップの一方には、切れ込みの側部側の端同士をつなぐようにミシン目または折り目が設けられているので、突起部を内部側に押し込み易く、包装容器の封緘後の上面の一部がより盛り上がり難くなる。
【００２３】
一実施形態の包装容器では、
上記突起部の厚みは、上記１組の上側フラップの一方において上記突起部以外の部分の厚みよりも薄くなっている。
【００２４】
上記実施形態の包装容器によれば、上記突起部の厚みは、１組の上側フラップの一方において突起部以外の部分の厚みよりも薄くなっているので、１組の上側フラップの外側の表面同士を面一にし易く、包装容器の封緘後の上面の一部がより盛り上がり難くなる。
【発明の効果】
【００２５】
本発明の包装容器によれば、突起部を下側フラップの先端縁同士の間の空間に挿入することによって、例えば刃物で開封が行われても、刃物が下側フラップの先端縁同士の間の空間を介して内容物に接触しないようにすることができる。したがって、上記刃物などによる開封で内容物が損傷するのを防ぐことができる。
【００２６】
また、上記突起部は１組の上側フラップの他方の下方に位置するが、突起部の両側に切れ込みが連なっていることによって、包装容器の封緘後の上面の一部が盛り上がらないようにすることができるので、荷崩れを起こし難くすることができる。
【発明を実施するための最良の形態】
【００２７】
以下、本発明の包装容器を図示の実施の形態により詳細に説明する。
【００２８】
図１は、本発明の一実施の形態の紙製のダンボール箱の概略展開図である。つまり、図１はダンボルールシートの概略平面図である。
【００２９】
上記ダンボール箱は、４つの側部１，２，３，４と、この４つの側部１，２，３，４の上縁５１，５２，５３，５４に連なる上部フラップ５と、その４つの側部１，２，３，４の下縁に連なる下部フラップ６とを備えている。なお、上記上縁５１は第１の上縁の一例で、上縁５２は第２の上縁の一例で、上縁５３は第３の上縁の一例で、上縁５４は第４の上縁の一例である。
【００３０】
上記側部１は側部３と同一の長方形板状に形成されている。そして、上記側部１の横の長さは側部２の横の長さよりも短くなっている。また、上記側部１，３には把手孔１７，１８が設けられる。
【００３１】
上記側部２は側部４と同一の長方形板状に形成されている。また、上記側部２の一方の側縁には、側部１の外側の表面に接着剤で接着される接着部１９が設けられている。
【００３２】
上記上部フラップ５は、側部１の上縁５１に連なる下側フラップ７と、側部２の上縁５２に連なる上側フラップ８と、側部３の上縁５３に連なる下側フラップ９と、側部４の上縁５４に連なる上側フラップ１０とで構成されている。
【００３３】
上記下側フラップ７は、長方形板状を有し、下側フラップ９と同一形状となっている。そして、上記ダンボールシート５０を組み立てると、下側フラップ７と下側フラップ９とは互いに対向する。このとき、上記下側フラップ７の先端縁は、下側フラップ９の先端縁に接触せず、所定の距離離間する。
【００３４】
上記上側フラップ８は、ダンボールシート５０の組み立て時、下側フラップ７，９の上に重ねられる。また、上記上側フラップ８は長方形板状を呈している。そして、上側フラップ８の縦は下側フラップ７，９の縦と同じ長さであるが、上側フラップ８の横は下側フラップ７，９の横よりも長くなっている。
【００３５】
上記上側フラップ１０は、ダンボールシート５０の組み立て時、下側フラップ７，９の上に重ねられて、上側フラップ８に対向する。また、上記上側フラップ１０は上側フラップ８と異なる形状を有している。
【００３６】
より詳しくは、上記上側フラップ１０は、長方形板状のフラップ本体１１と、このフラップ本体１１の先端縁（側部４側の縁とは反対側の縁）に設けられた突起部１２とから成っている。
【００３７】
上記フラップ本体１１は、突起部１２の両側に連なる切れ込み２１，２２を先端縁に有している。そして、上記フラップ本体１１の縦の長さＨ１は、下側フラップ７，９および上側フラップ８の縦の長さよりも短くなっている。また、上記フラップ本体１１の横の長さＷは、上側フラップ８の横の長さと同じになっている。
【００３８】
上記突起部１２は、下側フラップ７の先端縁と下側フラップ９の先端縁との間の空間（ダンボールシート５０の組み立てによりできる空間）に挿入できるように、位置および形状が設定されている。また、上記突起部１２は、ダンボールシート５０の組み立て時、上側フラップ８の下方に挿入される。また、上記突起部１２の先端側の２つの角にはアールが付けられている。なお、上記突起部１２の縦の長さＨ２は、フラップ本体１１の先端縁に対する突起部１２の突出量に相当する。
【００３９】
上記フラップ本体１１の縦の長さＨ１と、突起部１２の縦の長さＨ２との合計は、下側フラップ７，９および上側フラップ８の縦の長さに等しくなるように設定されている。また、上記フラップ本体１１の縦の長さＨ１と、上側フラップ８の縦の長さとの合計は、下側フラップ７，９の夫々の横の長さに等しくなるように設定されている。
【００４０】
上記下部フラップ６は、側部１の下縁５５に連なる上側フラップ１３と、側部２の下縁５６に連なる下側フラップ１４と、側部３の下縁５７に連なる上側フラップ１５と、側部４の下縁５８に連なる下側フラップ１６とで構成されている。
【００４１】
上記上側フラップ１３は、長方形板状を有し、上側フラップ１５と同一形状となっている。そして、上記ダンボールシート５０を組み立てると、上側フラップ１３と上側フラップ１５とは互いに対向する。
【００４２】
上記下側フラップ１４，１６は、ダンボールシート５０の組み立て時、上側フラップ１３，１４に重ねられる。また、上記下側フラップ１４，１６は共に同一の長方形板状を呈している。
【００４３】
以下、上記ダンボールシート５０の組み立て方法について説明する。
【００４４】
まず、上記側部１と側部４との間の二点鎖線、側部２と側部３との間の二点鎖線、および、側部３と側部４との間の二点鎖線に沿って、ダンボールシート５０を折り曲げる。このとき、上記側部１の内側の表面を側部３の内側の表面に対向させると共に、側部２の内側の表面を側部４の内側の表面に対向させる。
【００４５】
次に、上記接着部１９を側部２に対して折り曲げ、側部１の外側の表面に接着する。これにより、上記側部２が側部１に連なる。
【００４６】
次に、上記側部１，２，３，４の下縁５５，５６，５７，５８に沿って、下部フラップ６を内側に折り曲げる。すなわち、上記上側フラップ１３，１４を側部１，３に対して内側に折り曲げた後、下側フラップ１４，１６を側部２，４に対して内側に折り曲げて上側フラップ１３，１４の下に重ねる。
【００４７】
次に、図２および図３に示すように、下側フラップ１４と下側フラップ１６とを、ガムテープなどの接合テープ２２で互いに接合すると、上部が未封緘のダンボール箱ができる。
【００４８】
次に、上記ダンボール箱内に商品を入れて、側部１，３の上縁５１，５３に沿って、下側フラップ７，９を内側に折り曲げた後、側部２，４の上縁５２，５４に沿って、上側フラップ８，１０を内側に折り曲げて下側フラップ７，９に重ねる。このとき、上記上側フラップ１０の突起部１２を、下側フラップ７の先端縁と下側フラップ９の先端縁との間の空間に挿入し、上側フラップ８の下方に位置させる。
【００４９】
最後に、上記上側フラップ８と上側フラップ１０とを、ガムテープなどの接合テープ２３で互いに接合すると、商品の包装が完了する。
【００５０】
このように組み立てたダンボール箱であれば、上側フラップ８，１０の先端縁に沿って例えばカッターナイフの刃を走らしても、図４に示すように、下側フラップ７の先端縁と下側フラップ９の先端縁との間の空間に上側フラップ１０の突起部１２があるので、カッターナイフの刃がその空間を介して商品に接触するのを防ぐことができる。
【００５１】
したがって、上記ダンボール箱は、上部をカッターナイフで開封しても、内容物がカッターナイフで損傷するのを防ぐことができる。
【００５２】
また、上記突起部１２は上側フラップ８の下方に位置するが、突起部１２の両側に連なる切れ込み２１，２２をフラップ本体１１の先端縁に設けているので、突起部１２を内部側に押し込み、上側フラップ８，１０の外側の表面同士を面一にできる。
【００５３】
その結果、上記ダンボール箱の封緘後の上面の一部が盛り上がらなくなるので、ダンボール箱の封緘後の上面に積み重ねた他の荷の崩れを防ぐことができる。
【００５４】
上記実施の形態において、上側フラップ１０の代わりに、図５に示す上側フラップ２１０を用いてもよい。
【００５５】
上記上側フラップ２１０は、切れ込み２１，２２の図中上端同士をつなぐようにミシン目２２４を設けている点のみが上側フラップ１０と異なっている。
【００５６】
上記上側フラップ２１０を用いることによって、ミシン目２２４が切れ込み２１，２２の図中上端同士をつないでいるので、突起部１２を内部側に押し込み易く、ダンボール箱の封緘後の上面を平坦にするのがより容易になる。
【００５７】
また、上記上側フラップ２１０において、ミシン目２２４の代わりに、切れ込み２１，２２の図中上端同士をつなぐように折り目を設けてもよい。
【００５８】
上記実施の形態において、上側フラップ１０の代わりに、図６に示す上側フラップ３１０を用いてもよい。この上側フラップ３１０は、突起部１２の厚みがフラップ本体３１１の厚みよりも薄くなっている点のみが上側フラップ１０と異なっている。
【００５９】
上記上側フラップ３１０を用いることによって、突起部１２の厚みがフラップ本体３１１の厚みよりも薄いので、ダンボール箱の上面を平坦にし易く、ダンボール箱の封緘後の上面に盛り上がりがより形成され難くなる。
【００６０】
また、上記フラップ本体３１１に、ミシン目２２４を設けたり、上記折り目を設けたりしてもよい。あるいは、上記フラップ本体３１１をフラップ本体１１と同一形状としてもよい。
【００６１】
以上、本発明の一実施の形態および変形例について説明したが、本発明が上記実施の形態および変形例に限定されるわけではない。
【００６２】
例えば、本発明は、プラスチック製のダンボール箱に適用してもよいことは勿論、ダンボール箱以外の紙製またはプラスチック製などの包装容器に適用してもよい。つまり、包装容器の材料として、紙、プラスチックなど様々な材料を用いてもよい。
【００６３】
また、本発明の包装容器は、上記実施の形態のような直方体形状であってもよいし、立方体形状であってもよい。
【図面の簡単な説明】
【００６４】
【図１】図１は本発明の一実施の形態のダンボール箱の概略展開図である。
【図２】図２は上記ダンボール箱の概略斜視図である。
【図３】図３は上記ダンボール箱の模式上面図である。
【図４】図４は上記ダンボール箱の模式側面図である。
【図５】図５は上側フラップの変形例の模式上面図である。
【図６】図６は上側フラップの他の変形例の模式側面図である。
【図７】図７は従来の紙製外装ケースの概略斜視図である。
【図８】図８は上記従来の紙製外装ケースの概略斜視図である。
【図９】図９は上記従来の紙製外装ケースの模式上面図である。
【図１０】図１０は上記従来の紙製外装ケースの模式側面図である。
【符号の説明】
【００６５】
１，２，３，４  側部
５  上部フラップ
６  下部フラップ
７，９  下側フラップ
８，１０，２１０，３１０  上側フラップ
１２，３１２  突起部
２０，２１  切れ込み
５１，５２，５３，５４  上縁
２２４  ミシン目
【図１】
2010052750.tif 000003
【図２】
2010052750.tif 000004
【図３】
2010052750.tif 000005
【図４】
2010052750.tif 000006
【図５】
2010052750.tif 000007
【図６】
2010052750.tif 000008
【図７】
2010052750.tif 000009
【図８】
2010052750.tif 000010
【図９】
2010052750.tif 000011
【図１０】
2010052750.tif 000012